(57)【要約】      （修正有）【課題】簡易な構成により、外気を冷風化して送風できる携帯用扇風機を提供する。【解決手段】送風機本体１と、前記本体に着脱自在に設けた冷気発生部３とを備える。送風機本体はファン１１と、モータと、電池１３、及びスイッチ１６とを備える。冷気発生部は排気口を有し、保冷剤を出し入れ可能に収容する収容容器３０を備え、ファンから送給される風を前記容器内へ供給し、容器内を通過中に保冷剤で冷風化して容器の排気口から外部へ送風させるように構成する。また、携帯用扇風機は首掛け用ストラップ４を備え、首に掛けて使用できる。【選択図】図１
0003165503.tif 000002
【実用新案登録請求の範囲】
【請求項１】
送風機本体と、前記送風機本体に着脱自在に設けた冷気発生部とを備えた携帯用扇風機であって、
前記送風機本体は、ファンと、前記ファンを回転駆動するモータと、前記モータに電力を供給する電池、及び前記モータへの電力供給を制御するスイッチとを備え、
前記冷気発生部は、所望部に排気口を有し、保冷剤を出し入れ可能に収容する収容容器を備え、
前記ファンから送給される風を前記冷気発生部の前記容器内を通過させて前記排気口から前記容器外へ送風させるように構成されている
ことを特徴とする携帯用扇風機。
【請求項２】
送風機本体と、前記送風機本体に着脱自在に設けた冷気発生部とを備えた携帯用扇風機であって、
前記送風機本体は、箱形状のケースと、前記ケース内に設けたファン、前記ファンを回転駆動するモータ、前記モータに電力を供給する電池、及び前記ケースの外壁面に露呈して設け、前記モータへの電力供給を制御するスイッチとを備え、
前記冷気発生部は、所望部に排気口を有し、保冷剤を出し入れ可能に収容する収容容器を備え、
前記ファンから送給される風を前記冷気発生部の前記容器内を通過させて前記排気口から前記容器外へ送風させるように構成されている
ことを特徴とする携帯用扇風機。
【請求項３】
送風機本体と、前記送風機本体に着脱自在に設けた冷気発生部とを備えた携帯用扇風機であって、
前記送風機本体は、手で把持可能なケース体と、前記ケース体内に設けたモータ及び前記モータに電力を供給する電池と、前記ケース体の外壁面に露呈して設け、前記モータへの電力供給を制御するスイッチと、前記ケース体の先端側における前記ケース体外に位置させて、前記モータの出力軸に軸装して設けられ、前記モータで回転駆動させるファン、及び前記ファンを包囲すると共に前記ケース体の先端部に固定して設けた空気流通性の保護カバー体とを備え、
前記冷気発生部は、所望部に排気口を有し、保冷剤を出し入れ可能に収容する収容容器を備え、
前記ファンから送給される風を前記冷気発生部の前記容器内を通過させて前記排気口から前記容器外へ送風させるように構成されている
ことを特徴とする携帯用扇風機。
【請求項４】
請求項１ないし３のいずれかに記載の携帯用扇風機において、前記送風機本体又は前記冷気発生部のうち、少なくとも一方の所望部に首掛け用のストラップが取付けてあることを特徴とする携帯用扇風機。
【考案の詳細な説明】
【技術分野】
【０００１】
本考案は、携帯用扇風機、さらに詳しくは、個人が自分だけで専用に使用する携帯用扇風機に関する。
【背景技術】
【０００２】
従来、携帯に便利なようにコンパクトに形成し、モータでファンを回転駆動して送風する首掛け型や手で把持して使用する種々の形式の携帯用扇風機が一般に知られている。これら従来の携帯用扇風機は、いずれも外気をそのまま送風するように構成されている（例えば、特許文献１〜４参照）。
【０００３】
しかし、特許文献１〜４に記載の携帯用扇風機のように外気をそのまま送風する場合には、例えば気温が極めて高いときには、生ぬるい風を送風する場合が生じる。そのため、扇風機を使用しても涼しさが感じられない場合が生じる。
【先行技術文献】
【特許文献】
【０００４】
【特許文献１】実用新案登録第３０８０１３７号公報
【特許文献２】実用新案登録第３０８０１４０号公報
【特許文献３】実用新案登録第３０６２６８９号公報
【特許文献４】特許第３４４８２４３号公報
【考案の概要】
【考案が解決しようとする課題】
【０００５】
本考案は上記したような実情に鑑みてなされたもので、簡易な構成により、外気を冷風化して送給することができる携帯用扇風機を提供することを目的とするものである。
【課題を解決するための手段】
【０００６】
上記目的を達成するため、本考案のうち１つの考案（第１の考案）は、送風機本体と、前記送風機本体に着脱自在に設けた冷気発生部とを備えた携帯用扇風機であって、
前記送風機本体は、ファンと、前記ファンを回転駆動するモータと、前記モータに電力を供給する電池、及び前記モータへの電力供給を制御するスイッチとを備え、
前記冷気発生部は、所望部に排気口を有し、保冷剤を出し入れ可能に収容する収容容器を備え、
前記ファンから送給される風を前記冷気発生部の前記容器内を通過させて前記排気口から前記容器外へ送風させるように構成されていることを特徴とする。
【０００７】
本考案のうち、他の１つの考案（第２の考案）は、送風機本体と、前記送風機本体に着脱自在に設けた冷気発生部とを備えた携帯用扇風機であって、
前記送風機本体は、箱形状のケースと、前記ケース内に設けたファン、前記ファンを回転駆動するモータ、前記モータに電力を供給する電池、及び前記ケースの外壁面に露呈して設け、前記モータへの電力供給を制御するスイッチとを備え、
前記冷気発生部は、所望部に排気口を有し、保冷剤を出し入れ可能に収容する収容容器を備え、
前記ファンから送給される風を前記冷気発生部の前記容器内を通過させて前記排気口から前記容器外へ送風させるように構成されていることを特徴とする。
【０００８】
本考案のうち、さらに他の１つの考案（第３の考案）は、送風機本体と、前記送風機本体に着脱自在に設けた冷気発生部とを備えた携帯用扇風機であって、
前記送風機本体は、手で把持可能なケース体と、前記ケース体内に設けたモータ及び前記モータに電力を供給する電池と、前記ケース体の外壁面に露呈して設け、前記モータへの電力供給を制御するスイッチと、前記ケース体の先端側における前記ケース体外に位置させて、前記モータの出力軸に軸装して設けられ、前記モータで回転駆動させるファン、及び前記ファンを包囲すると共に前記ケース体の先端部に固定して設けた空気流通性の保護カバー体とを備え、
前記冷気発生部は、所望部に排気口を有し、保冷剤を出し入れ可能に収容する収容容器を備え、
前記ファンから送給される風を前記冷気発生部の前記容器内を通過させて前記排気口から前記容器外へ送風させるように構成されていることを特徴とする。
【０００９】
本考案（第１〜第３の考案)においては、前記送風機本体又は前記冷却発生部のうち、少なくとも一方の所望部に首掛け用のストラップを取付ける構成を採用することができる（第４の考案）。
【考案の効果】
【００１０】
本考案によれば、次のような効果を奏する。
（１）ファンから送給される風を冷気発生部の前記容器内を通過させて排気口から前記容器外へ送風させるように構成されているので、前記容器内へ送られた風は前記容器内を通過中に保冷剤で熱交換され、冷風化される。したがって、ファンから送給される風を冷風化して排気口から外部へ送風させることができる。
（２）簡易な構成により、上記作用効果を発揮させることができる。
（３）第４の考案によれば、前記効果に加え、首に掛けて携帯し、使用することができる。
【図面の簡単な説明】
【００１１】
【図１】本考案の一実施形態の携帯用扇風機を示す図であって、同図（ａ）は全体構成を概略的に示す正面図、同図（ｂ）は同じく側面図である。
【図２】図１の携帯用扇風機の送風機本体の部分の構成を概略的に示す図であって、同図（ａ）は平面図、同図（ｂ）は側面図、同図（ｃ）は縦断側面図である。
【図３】図１の携帯用扇風機の冷気発生部の構成を概略的に示す平面図である。
【図４】前記冷気発生部の上蓋部の構成を概略的に示す図であって、同図（ａ）は平面図、同図（ｂ）は側面図、同図（ｃ）は同図（ｂ）のＡ−Ａ線拡大断面図、同図（ｄ）は同図（ａ）のＢ−Ｂ線で切断し、一部を拡大して示す断面図である。
【図５】前記冷気発生部を拡大し、その構成を概略的に示す図であって、同図（ａ）は側面図、同図（ｂ）は縦断面図、同図（ｃ）は同図（ａ）のＣ−Ｃ線断面図（但し、向きを変えて示す）である。
【図６】図１の携帯用扇風機を首に掛けて使用する状態を示す説明図である。
【図７】本考案の他の実施形態の携帯用扇風機の構成を概略的に示す図であって、同図（ａ）は全体構成の正面図、同図（ｂ）は冷気発生部の平面図、同図（ｃ）は同じく縦断面図、同図（ｄ）は同じく底面図、同図（ｅ）は冷気発生部を取り外した状態の送風機本体を示す平面図である。
【図８】第７図に示す携帯用扇風機の冷気発生部と送風機本体の取付部分を拡大し、その構成を概略的に示す説明図である。
【図９】図７に示す携帯用扇風機の送風機本体のケース体の下端部側の構成を概略的に示す説明図である。
【考案を実施するための形態】
【００１２】
以下、図面を参照して本考案の携帯用宣布機の実施形態の一例について説明する。
【００１３】
図１〜図６は、本考案の一実施形態の携帯用扇風機を示す。これら図１〜図６に示すように、実施形態１の携帯用扇風機は、送風機本体１と、冷気発生部３と、首掛け用ストラップ４とを備える。
【００１４】
送風機本体１は、携帯可能な適当な大きさのケース１０を備える。実施形態１のケース１０は四角形の薄形の箱形状に形成されている。ケース１０の素材は特に限定されないが、例えばプラスチック等を採用するのが好ましい。
【００１５】
ケース１０内には、ファン１１と、ファン１１を回転駆動するモータ１２と、モータ１２に電力を供給する電池１３とが設けてある。前記モータ１２は適当部に固定して設けてある。実施形態１では、ファン１１としてシロッコファン等の多翼ファン（実施形態１ではシロッコファン）を採用している。この場合、ファン１１は上記以外の他の型式のファンを採用してもよいこと勿論である。
【００１６】
実施形態１の電池１３はケース１０の底部側に配置して設けてある。前記電池としては、乾電池や充電式電池を採用する。実施形態１では乾電池を採用した例が開示されている。ケース１０の底部側の背面には、図１（ｂ）に示すように、電池交換口１４を設けると共に、その交換口１４を開閉する蓋１５を備える。
【００１７】
送風機本体１は、ケース１０の外壁面に露呈して設け、モータへの電力供給を制御するスイッチ１６を備える。実施形態１では、図１（ａ）に示すように、ケース１０の一方の側壁１０ａに露呈してスイッチ１６を設けてある。スイッチ１６は、例えば、ＯＦＦ、強、弱に切換え可能な切換スイッチを採用できる。実施形態１では前記切換スイッチを採用している。この場合、ＯＦＦ、強、中、弱の三段式に切換える切換スイッチその他のスイッチを採用してもよい。この点については後述する実施形態においても同様である。
【００１８】
送風機本体１のケース１０は吸気口１７を備える。実施形態１の吸気口１７は、ケース１の正面、即ち、ケース１の前壁１０ｃに設けてある。ケース１の上端は開口され、第１の風の出口１８ａが形成されている、実施形態１では、ケース１０の上端に適当な間隔を存してケース１０の前壁１０ｃ及び後壁１０ｄ間に架橋した杆体１９が設けてある。また、ケース１０は両側壁１０ａ，１０ｂの所望部位に第２及び第３の風の出口１８ｂ，１８ｃを備える。前記第２及び第３の風の出口１８ｂ，１８ｃは、開閉蓋（図示せず）を備え、開閉自在に構成されている。前記両出口１８ｂ，１８ｃの開閉手段としては、例えば両出口１８ｂ，１８ｃの部位の内側面に開閉蓋板をスライド自在に設け、前記蓋板をスライドして開閉する構成等を採用できる。
【００１９】
上記構成により、モータ１３を駆動してファン１１を回転すると、外気は吸気口１７からケース１０内に吸気され、ファン１１により風が発生し、この風は第１の風の出口１８ａからケース１外に排出され、後述するように冷気発生部の収容容器内へ送給される。また、同時に一部の風は第２及び第３の風の出口１８ｂ，１８ｃ（両出口１８ｂ，１８ｃが開口時）からケース外へ排出される。
【００２０】
実施形態１の送風機本体１は、ケース１０の両側壁１０ａ，１０ｂの上端近くに位置させて、ストラップ４取付用の取付部２０，２０を備える。首掛け用ストラップ４は両取付部２０に取付けて使用することができる。また、送風機本体１は、ケース１０の後壁に折り畳み可能なスタンドを備える。これにより、扇風機を立て掛けて使用できるように構成してある。なお、前記スタンド２は所望に応じて設けるもので、省略してもよいものである。
【００２１】
冷気発生部３は、送風機本体１に着脱可能に取付けて設けられる。冷気発生部３は、保冷剤５（蓄冷剤）を出し入れ可能に収容する収容容器３０を備える。実施形態１の収容容器３０は、前記ケース１０の断面形状と対応する四角形断面の箱形状に形成されている。
【００２２】
前記容器３０は所望部に排気口を有している。実施形態１の容器３０は、上端を開口し、この開口部で第１の排気口３１ａが形成されている。また、容器３０は両側壁３０ａ，３０ｂの所望部位に第２及び第３の排気口３１ｂ，３１ｃを備える。前記第２及び第３の排気口３１ｂ，３１ｃは開閉蓋（図示せず）を備え、開閉自在に構成されている。前記両排気口３１ｂ，３１ｃの開閉手段は前記両出口１８ｂ，１８ｃと同様の構成を採用できる。
【００２３】
実施形態１の前記容器３０は送風機本体１のケース１０の上端に着脱自在に装着するように構成されている。実施形態１では、図２（ｂ），（ｃ）に示すように、ケース１０の前後壁１０ｃ，１０ｄの上端部近くにおける内壁面に前後壁１０ｃ，１０ｄの一端から他端に掛けて相対向して設けた案内用係合凹溝２１，２１を形成してある。両凹溝２１の一端側（側壁１０ｂ側）は開放してある。
一方、前記容器３０の前壁３０ｃ及び後壁３０ｄの下端には、前後壁３０ｃ，３０ｄの一端から他端に掛けて設け、前記凹溝２１に係合する案内摺動用の係合突条３２，３２が形成されている。
【００２４】
上記構成により、容器３０の前記両突条３２をケース１０の側壁１０ｂ側からケース１０の両凹溝内に係合して容器３０をスライドすることにより、容器３０をケース１０に一体的に取付け、また、容器３０を前記と逆方向にスライドして前記突条の係合を解除することにより、容器３０をケース１０から取外せるようになっている。なお、容器３０をケース１０に着脱自在に取付ける手段は、一例として開示したもので、上記以外の任意の構成に変更可能なこと勿論である。要は容器３０をケース１０に着脱自在に取付けるように構成すればよいものである。
【００２５】
前記容器３０は、底部に保冷剤を載置でき、かつ、空気を自由に流通可能な空気流通性の底蓋部材３３を備える。実施形態１の底蓋部材３３は、容器３０の前壁３０ｃ及び後壁３０ｄ間に適当な間隔を存して架橋した杆体３３ａ…３３ａを設け、この杆体で構成されている。保冷剤（冷凍庫等で冷却した保冷剤）は底蓋部材３３上に載置して容器３０内に収容される。これにより、容器３０内の空気は保冷剤５で冷却される。
【００２６】
前記容器３０は、上端に開閉自在に設けた上蓋部材３４を備える。実施形態１の上蓋部材３４は、図４等に詳細に示すように、平板状部材３５に所望数の排気口３６を形成して構成され、前記容器３０とケース１０とのスライド式取付手段と同様の手段により、上蓋部材３４を容器３０の上端にスライド自在、かつ、取外し自在に取付けるように構成してある。即ち、容器３０の上端に案内用係合凹溝３７，３７を設けると共に上蓋部材３４に前記凹溝３７に係合する係合突条３８，３８を設けた構成を採用している。
上記構成により、上蓋部材３４を容器３０に取付けた状態において、容器３０内と外部との間を排気口３６を通じて空気が自由に流通するようになっている。
【００２７】
前記容器３０及び上蓋部材３４等の冷気発生部の構成部材の素材は特に限定するものではないが、例えばプラスチックを採用するのが好ましい。
【００２８】
実施形態１の冷気発生部３は、容器３０の両側壁３０ａ，３０ｂの上端近くに位置させて、ストラップ取付用の取付部３９，３９を備える。実施形態１では、容器３０の前記取付部３９にストラップ４を取付けた例が開示されている。
【００２９】
実施形態１の携帯用扇風機は上記のように構成したもので、次に使用方法の一例及び作用効果等について説明する。
【００３０】
冷却した保冷剤５（蓄冷剤）を容器３０内に収容する。そして、スイッチ１６を操作してモータ１３を駆動してファン１１を回転すると、外気（外部の空気）は吸気口１７からケース１０内に吸気され、ファン１１により風が発生する。この風は第１の風の出口１８ａを通って冷気発生部３の容器３０内に送給される。また、第２及び第３の風の出口１８ｂ，１８ｃが開口している際には、一部の風は図１（ａ）の矢印ａ，ｂで示すようにケース１０の第２及び第３の風の出口１８ｂ，１８ｃからケース外へ排出（送風）される。
【００３１】
一方、上記のように容器３０内へ送給（圧力導入）された風は容器内を通過中に保冷剤５で熱交換（冷却）され、冷風化する。この冷風化した風（冷風）は図１（ａ）に矢印ｃで示すように、容器の上端の第１の排気口３１ａ及び上蓋部材３４の排気口３６から外部（容器３０外）へ排出（送風）される。また、同時に一部の風（冷風）は容器の第２及び第３の排気口３１ｂ，３１ｃ（排気口３１ｂ，３１ｃが開口時）から、図１（ａ）に矢印ｄ，ｅで示すように、外部（容器３０外）へ排出（送風）される。
【００３２】
したがって、例えば、図６に示すように、ストラップ４により首に掛けて使用することにより、使用者６の首部や胸部等に冷風を送給することができる。この場合、例えばＴシャツ等（図示せず）の内側に入れて使用しても上記作用効果を発揮する。
【００３３】
なお、保冷剤の有効冷却期間は、例えば約２０分〜約３０分間程度であり、したがって、上記冷風化作用は上記時間内に限定される。保冷剤の有効冷却時間経過後は、通常の携帯用扇風機と同様の風が送風される。したがって、保冷剤は扇風機を使用する毎に冷却したものと交換して使用するものである。また、実施形態１の携帯用扇風機は、冷気発生部を送風機本体から取外した状態で使用することもできる。
【００３４】
図７〜図９は本考案の他の実施形態（実施形態２）を示す。実施形態２の携帯用扇風機において、実施形態１で既に説明した構成と共通する構成部等には同一符号を付して説明を省略する。
【００３５】
実施形態２の送風機本体１Ａは、手で把持可能なケース体１０Ａを備える。ケース体１０Ａの素材は特に限定されないが、例えばプラスチック等を採用することができる。
【００３６】
ケース体１０Ａ内には、後述するファン１１Ａを回転するモータ１２Ａ及びモータ１２Ａに電力供給する電池１３Ａが設けてある。また、ケース体１０Ａには、外壁面に露呈してスイッチ１６が設けてある。実施形態２では、ファン１１Ａとして、複数枚(図示では４枚)の送風羽根で構成した羽根型のファンを採用している。実施形態２のファン１１Ａは、ケース体１０Ａの先端側におけるケース体外に位置させて、モータ１２Ａの出力軸に軸装して設けてある。
【００３７】
実施形態２の送風機本体１Ａは、ファン１１Ａを包囲すると共にケース体１０Ａの先端部に固定して設けた空気流通性の保護カバー体２２を備える。実施形態２のカバー体２２は概略カゴ型状に形成したものを採用している。これにより、外気はカバー体２２の後部側等から吸気されてファン１１Ａで風を発生し、この風はファンの前方側へ送給（送風）されるように構成されている。
【００３８】
前記電池１３Ａとしては、乾電池や充電式電池を採用する。実施形態２では乾電池を採用した例が開示されている。ケース体１０Ａの基端は開口されて電池交換口１４Ａが形成され、ケース体１０Ａの基端部には交換口１４Ａを開閉するキャップ１５Ａが着脱自在に螺合して設けてある。
【００３９】
実施形態２の送風機本体１Ａは、前記カバー体２２の適当部にストラップ取付用の取付部２０Ａ，２０Ａを備え、両取付部２０Ａに首掛け用のストラップ４を取付けて使用するように構成してある。なお、実施形態２の扇風機は、ケース体１０Ａを手で把持して使用可能なこと勿論である。
【００４０】
冷気発生部３Ａは、送風機本体１Ａに着脱自在に取付けて設けられる。冷気発生部３Ａは、保冷剤５を出し入れ可能に収容する収容容器４０を備える。実施形態２の収容容器４０はカバー体２２の直径と対応する大きさの略円形の皿形容器状に形成され、上端を開口した容器本体４１と、開口上端に着脱自在に嵌合して設けた上蓋部４２とを備える。
【００４１】
前記容器本体４１の底蓋部材４３の中心部には、雌ネジ筒４４が設けてある。また、前記カバー体の上面における中心部には、図８に示すように、前記ネジ筒４４に螺合する雄ネジ筒２３が設けてある。そして、雄ネジ筒２３に雌ネジ筒４４を螺合して、冷気発生部３Ａの前記容器４０を着脱自在に取付けるように構成してある。
【００４２】
前記容器４０は所望部に排気口を有している。実施形態２の容器４０は上蓋部４２に第１の排気口４５ａが形成されている。また、容器本体４１の周壁の所望部に第２の排気口４５ｂが形成されている。さらにまた、容器本体４１の底蓋部材４３には空気を自由に流通する吸気口４６が形成されている。
【００４３】
上記構成により、ファン１１Ａから供給される風は吸気口４６から容器４０内へ送給（圧力導入）され、この風は容器内を通過中に保冷剤５で熱交換（冷却）され、冷風化する。この冷風化した風（冷風）は、図７（ａ）に矢印ｆで示すように、容器４０の上蓋部の第１の排気口４５ａから外部（容器外）へ排出（送風）される。また、同時に一部の風（冷風）は、図７（ａ）に矢印ｇで示すように、容器本体４１の第２の排気口４５ｂから外部（容器外）へ排出（送風）される。
【００４４】
なお、前記容器４０を前記カバー体２２に着脱自在に取付ける手段は、一例として開示したもので、上記以外の任意の構成に変更可能なこと勿論である。要は容器４０をカバー体２２に着脱自在に取付けるように構成すればよいものである。他の構成は実施形態１と同様である。
【００４５】
実施形態２は上記のように構成され、ストラップ４により首に掛け、或いはケース体１０Ａを手で把持して使用するもので、これにより、実施形態１と同様の作用効果を奏する。
【００４６】
なお、上記した各実施形態の携帯用扇風機は一例として開示したもので、本考案は上記実施形態に限定されるものではなく、実用新案登録請求の範囲に記載の技術思想を越脱しない範囲において任意に変更可能なものである。
【符号の説明】
【００４７】
１        送風機本体
３        冷気発生部
４        首掛け用ストラップ
１１      ファン
１２      モータ
３０      収容容器
【図１】
0003165503.tif 000003
【図２】
0003165503.tif 000004
【図３】
0003165503.tif 000005
【図４】
0003165503.tif 000006
【図５】
0003165503.tif 000007
【図６】
0003165503.tif 000008
【図７】
0003165503.tif 000009
【図８】
0003165503.tif 000010
【図９】
0003165503.tif 000011
【手続補正書】
【提出日】平成22年11月12日(2010.11.12)
【手続補正１】
【補正対象書類名】実用新案登録請求の範囲
【補正対象項目名】全文
【補正方法】変更
【補正の内容】
【実用新案登録請求の範囲】
【請求項１】
送風機本体と、冷気発生部とを備えた携帯用扇風機であって、
前記送風機本体は、携帯可能なケースと、前記ケース内に設けたファン、前記ファンを回転駆動するモータ、前記モータに電力を供給する電池、及び前記ケースの外壁面に露呈して設け、前記モータへの電力供給を制御するスイッチとを備え、
前記ケースは、吸気口と、上端を開口して形成した風の出口とを有し、
前記冷気発生部は、保冷剤を出し入れ可能に収容する収容容器を備え、
前記容器は、所望部に形成した排気口と、前記保冷剤を載置でき、かつ、空気を自由に流通可能な底蓋部材とを有し、
前記冷気発生部は、前記容器の底部側を前記ケースの上端に着脱自在に取付けて前記送風機本体に設けられ、
前記ファンから送給される風を前記風の出口及び前記底蓋部材を通して前記冷気発生部の前記容器内に送給して前記容器内を通過させて前記排気口から前記容器外へ送風させるように構成した
ことを特徴とする携帯用扇風機。
【請求項２】
送風機本体と、冷気発生部とを備えた携帯用扇風機であって、
前記送風機本体は、携帯可能な大きさの箱形状に形成したケースと、前記ケース内に設けたファン、前記ファンを回転駆動するモータ、前記モータに電力を供給する電池、及び前記ケースの外壁面に露呈して設け、前記モータへの電力供給を制御するスイッチとを備え、
前記ケースは、吸気口と、上端を開口して形成した風の出口とを有し、
前記冷気発生部は、保冷剤を出し入れ可能に収容する収容容器を備え、
前記容器は、所望部に形成した排気口と、前記保冷剤を載置でき、かつ、空気を自由に流通可能な底蓋部材とを有し、
前記冷気発生部は、前記容器の底部側を前記ケースの上端に着脱自在に取付けて前記送風機本体に設けられ、
前記ファンから送給される風を前記風の出口及び前記底蓋部材を通して前記冷気発生部の前記容器内に送給して前記容器内を通過させて前記排気口から前記容器外へ送風させるように構成した
ことを特徴とする携帯用扇風機。
【請求項３】
送風機本体と、冷気発生部とを備えた携帯用扇風機であって、
前記送風機本体は、手で把持可能なケース体と、前記ケース体内に設けたモータ及び前記モータに電力を供給する電池と、前記ケース体の外壁面に露呈して設け、前記モータへの電力供給を制御するスイッチと、前記ケース体の先端側における前記ケース体外に位置させて、前記モータの出力軸に軸装して設けられ、前記モータで回転駆動させるファン、及び前記ファンを包囲すると共に前記ケース体の先端部に固定して設けた空気流通性の保護カバー体とを備え、
前記冷気発生部は、保冷剤を出し入れ可能に収容する収容容器を備え、
前記容器は、所望部に形成した排気口と、吸気口を形成した底蓋部材とを有し、
前記冷気発生部は、前記容器の底部側を前記カバー体の上面に着脱自在に取付けて前記送風機本体に設けられ、
前記ファンから送給される風を前記吸気口から前記冷気発生部の前記容器内へ送給して前記容器内を通過させて前記排気口から前記容器外へ送風させるように構成した
ことを特徴とする携帯用扇風機。
【請求項４】
請求項１ないし３のいずれかに記載の携帯用扇風機において、前記送風機本体又は前記冷気発生部のうち、少なくとも一方の所望部に首掛け用のストラップが取付けてあることを特徴とする携帯用扇風機。